(57)【特許請求の範囲】
【請求項１】
海外渡航者の出入国審査を行う出入国審査システムであって、
一次審査受付け端末により読み取られた、一次審査申請者の、旅券情報、および顔画像情報を含む生体情報を、前記一次審査受付端末より受信する一次審査用情報受信部と、
前記一次審査申請者の旅券情報および顔画像情報を含む生体情報を受信した時点で、一次審査受付け終了メッセージを一次審査受付け端末に送信する一次審査受付け終了通知部と、
前記受信した一次審査申請者の旅券情報および生体情報を、旅券情報データベースに登録された旅券所有者の旅券情報および生体情報と照合することにより、前記一次審査申請者の一次本人確認処理を実行する一次本人確認部と、
前記受信した一次審査申請者の生体情報ないし旅券情報を、ブラックリストデータベースに登録されたブラックリスト登録者の生体情報ないし旅券情報と照合することにより、前記一次審査申請者のブラックリスト該当確認処理を実行するブラックリスト該当確認部と、
前記一次本人確認処理の結果と前記ブラックリスト該当確認処理の結果とを含む一次審査結果、および前記受信した一次審査申請者の生体情報を、一次審査結果データベースに記録する一次審査結果記録部と、
前記一次本人確認処理において本人確認ができなかった一次審査申請者、または前記ブラックリスト該当確認処理においてブラックリスト登録者と確認された一次審査申請者、である一次審査失格者について、その前記一次審査結果データベースに記録された顔画像情報および一次審査結果を二次審査端末に送信する一次審査失格者通知部と、
前記二次審査端末により読み取られた、二次審査申請者の、旅券情報および生体情報を受信する二次審査用情報受信部と、
前記受信した二次審査申請者の旅券情報および生体情報を、前記旅券情報データベースに登録された旅券所有者の旅券情報および生体情報と照合することにより、前記二次審査申請者の二次本人確認処理を実行する二次本人確認部と、
前記二次審査端末からの処理要求に応じて、前記二次審査申請者についての一次審査の有無確認処理を前記一次審査結果データベースにおいて実行し、その結果を前記二次審査端末に送信する一次審査有無確認部と、
を備えることを特徴とする出入国審査システム。
【請求項２】
請求項１において、
前記一次審査申請者が出入国ＩＣカード所有者である場合、
前記一次審査用情報受信部は、前記一次審査受付け端末により読み取られた、前記一次審査申請者の出入国ＩＣカード情報をも受信し、
前記一次本人確認部における前記一次本人確認処理は、前記受信した一次審査申請者の出入国ＩＣカード情報および生体情報を、ＩＣカード情報データベースに登録された出入国ＩＣカード所有者の出入国ＩＣカード情報および生体情報と照合する処理をも含み、
前記二次審査申請者が出入国ＩＣカード所有者である場合、
前記二次審査用情報受信部は、前記二次審査端末に代えて、前記二次審査端末と並列に設けられ、前記出入国ＩＣカード所有者が二次審査申請する無人二次審査ゲートにより読み取られた、二次審査申請者の、出入国ＩＣカード情報および生体情報を受信し、
前記二次本人確認部は、前記受信した二次審査申請者の出入国ＩＣカード情報および生体情報を、前記ＩＣカード情報データベースに登録された出入国ＩＣカード所有者の出入国ＩＣカード情報および生体情報と照合することにより、前記二次審査申請者の二次本人確認処理を実行し、
前記一次審査有無確認部は、前記無人二次審査ゲートからの処理要求に応じて、前記二次審査申請者についての一次審査の有無確認処理を前記一次審査結果データベースにおいて実行し、その結果を前記無人二次審査ゲートに送信し、
前記二次本人確認処理において本人と確認され、かつ、前記一次審査の有無確認処理において、一次審査を受けていると判断された二次審査申請者について、前記無人二次審査ゲートにゲート開放指示を通知する無人ゲート開閉操作部を備える、
ことを特徴とする出入国審査システム。
【請求項３】
請求項１または２において、
前記一次審査受付け端末は、前記読み取った一次審査申請者の旅券情報および顔画像情報を、前記一次審査申請者の搭乗券の半券に印刷し、
前記二次審査端末ないし無人二次審査ゲートは、前記搭乗券の半券の旅券情報および顔画像情報を読み取って、この旅券情報および顔画像情報を、前記旅券情報データベースないしＩＣカード情報データベースに登録された該当者の旅券情報および生体情報たる顔画像と照合することにより、前記二次審査申請者の本人確認処理を実行する、
ことを特徴とする出入国審査システム。
【請求項４】
請求項１〜３のいずれかにおいて、
前記二次審査端末ないし前記無人二次審査ゲートから取得した、二次審査申請者の最終的な出入国申請受理不受理の情報を出入国管理データベースに格納処理するとともに、当該最終的な出入国申請受理不受理が決定した二次審査申請者の、前記一次審査結果データベースに記録された前記一次審査結果および生体情報を削除処理する審査結果処理部を備える、ことを特徴とする出入国審査システム。
【請求項５】
請求項１〜４のいずれかにおいて、
前記一次審査用情報受信部は、前記一次審査受付け端末により読み取られた、旅券や出入国ＩＣカードに記録された、それらの真正性を証明する情報をも受信し、
前記受信した旅券や出入国ＩＣカードの真正性を証明する情報に基づいてそれらの真正性を確認する真正性確認処理部を備える、ことを特徴とする出入国審査システム。
【請求項６】
請求項１〜５のいずれかにおいて、
前記出入国審査システムの入力インターフェースから、ブラックリストの追加および削除情報を含む最新ブラックリスト情報を受信し、当該最新ブラックリスト情報に基づいて前記ブラックリストデータベースを更新するとともに、当該最新ブラックリスト情報に含まれる生体情報を、前記一次審査結果データベースに記録された一次審査申請者の生体情報と照合し、その該当者についての前記一次審査結果を前記最新ブラックリスト情報に合致するよう書き換え処理する最新ブラックリスト情報反映処理部を備える、ことを特徴とする出入国審査システム。
【請求項７】
請求項１〜６のいずれかにおいて、
前記一次審査申請者のうち、二次審査未実施の者について、その前記一次審査結果データベースに記録された前記一次審査結果および生体情報を、前記出入国審査システムの入力インターフェースからの削除要求に応じて削除処理する二次審査未実施者削除処理部を備える、ことを特徴とする出入国審査システム。
【請求項８】
海外渡航者の出入国審査をコンピュータにて行う方法であって、前記コンピュータが、
一次審査受付け端末により読み取られた、一次審査申請者の、旅券情報、および顔画像情報を含む生体情報を、前記一次審査受付端末より受信し、
前記一次審査申請者の旅券情報および顔画像情報を含む生体情報を受信した時点で、一次審査受付け終了メッセージを一次審査受付け端末に送信し、
前記受信した一次審査申請者の旅券情報および生体情報を、旅券情報データベースに登録された旅券所有者の旅券情報および生体情報と照合することにより、前記一次審査申請者の一次本人確認処理を実行し、
前記受信した一次審査申請者の生体情報ないし旅券情報を、ブラックリストデータベースに登録されたブラックリスト登録者の生体情報ないし旅券情報と照合することにより、前記一次審査申請者のブラックリスト該当確認処理を実行し、
前記一次本人確認処理の結果と前記ブラックリスト該当確認処理の結果とを含む一次審査結果、および前記受信した一次審査申請者の生体情報を、一次審査結果データベースに記録し、
前記一次本人確認処理において本人確認ができなかった一次審査申請者、または前記ブラックリスト該当確認処理においてブラックリスト登録者と確認された一次審査申請者、である一次審査失格者について、その前記一次審査結果データベースに記録された顔画像情報および一次審査結果を二次審査端末に送信し、
前記二次審査端末により読み取られた、二次審査申請者の、旅券情報および生体情報を受信し、
前記受信した二次審査申請者の旅券情報および生体情報を、前記旅券情報データベースに登録された旅券所有者の旅券情報および生体情報と照合することにより、前記二次審査申請者の二次本人確認処理を実行し、
前記二次審査端末からの処理要求に応じて、前記二次審査申請者についての一次審査の有無確認処理を前記一次審査結果データベースにおいて実行し、その結果を前記二次審査端末に送信する、
ことを特徴とする出入国審査方法。
【請求項９】
海外渡航者の出入国審査方法をコンピュータに実行させるためのプログラムであって、
一次審査受付け端末により読み取られた、一次審査申請者の、旅券情報、および顔画像情報を含む生体情報を、前記一次審査受付端末より受信するステップと、
前記一次審査申請者の旅券情報および顔画像情報を含む生体情報を受信した時点で、一次審査受付け終了メッセージを一次審査受付け端末に送信するステップと、
前記受信した一次審査申請者の旅券情報および生体情報を、旅券情報データベースに登録された旅券所有者の旅券情報および生体情報と照合することにより、前記一次審査申請者の一次本人確認処理を実行するステップと、
前記受信した一次審査申請者の生体情報ないし旅券情報を、ブラックリストデータベースに登録されたブラックリスト登録者の生体情報ないし旅券情報と照合することにより、前記一次審査申請者のブラックリスト該当確認処理を実行するステップと、
前記一次本人確認処理の結果と前記ブラックリスト該当確認処理の結果とを含む一次審査結果、および前記受信した一次審査申請者の生体情報を、一次審査結果データベースに記録するステップと、
前記一次本人確認処理において本人確認ができなかった一次審査申請者、または前記ブラックリスト該当確認処理においてブラックリスト登録者と確認された一次審査申請者、である一次審査失格者について、その前記一次審査結果データベースに記録された顔画像情報および一次審査結果を二次審査端末に送信するステップと、
前記二次審査端末により読み取られた、二次審査申請者の、旅券情報および生体情報を受信するステップと、
前記受信した二次審査申請者の旅券情報および生体情報を、前記旅券情報データベースに登録された旅券所有者の旅券情報および生体情報と照合することにより、前記二次審査申請者の二次本人確認処理を実行するステップと、
前記二次審査端末からの処理要求に応じて、前記二次審査申請者についての一次審査の有無確認処理を前記一次審査結果データベースにおいて実行し、その結果を前記二次審査端末に送信するステップと、
を含むことを特徴とする出入国審査プログラム。
【発明の詳細な説明】
【技術分野】
【０００１】
本発明は、出入国審査システム、出入国審査方法、および出入国審査プログラムに関する。
【背景技術】
【０００２】
空港などにおける出入国審査に関する技術が提案されている。例えば、特許文献１には、入国前審査システムであって、出入国申請における旅客情報を入国前に審査することにより、入国審査を効率化させることが可能な入国前審査システム及び入国前審査方法を提供するとの目的の下、汎用端末を用いて入力された旅客情報に基づいて、旅客が入国する前に入国審査を行う入国前審査システムにおいて、前記汎用端末から前記旅客情報を受け取る共同制御装置と、前記汎用端末から又は共同制御装置が受け取った前記旅客情報を記憶する事前旅客情報データベースとを具備し、前記共同制御装置は、前記旅客情報が所定条件を満足するか否かを判断し、所定条件を満足する場合、前記旅客情報を前記事前旅客情報データベースに記憶させる一方、所定条件を満足しない場合、前記旅客情報を前記事前旅客情報データベースに記憶させることなく、前記汎用端末に不受理情報を送信すること、を特徴とする入国前審査システムが開示されている。
【特許文献１】特開２００５−２１５９９９号公報
【発明の開示】
【発明が解決しようとする課題】
【０００３】
ところで、米国の同時多発テロなどを受けて、日本をはじめ各国における出入国審査はよりいっそうの厳格化が要請されている一方で、従来の出入国審査では、審査窓口で、審査官がデータベースや紙の資料などに記載された顔写真やパスポート情報（氏名、国籍、旅券番号など）を全て照合しつつ、ブラックリスト登録者を発見すべく審査していたため、一人一人の審査に多大な時間と労力を要し、その結果、審査窓口には長蛇の列が発生してしまうことが多く、渡航者には多大なストレスを与えてしまっていた。
【０００４】
そこで本発明は上記課題を鑑みてなされたものであり、審査の厳格性を高めると同時に、渡航者が審査窓口に長時間行列する必要がなく、審査をスムーズに受けることが可能な出入国審査システムを提供することを主たる目的とする。
【課題を解決するための手段】
【０００５】
上記課題を解決する本発明の出入国審査システムは、海外渡航者の出入国審査を行う出入国審査システムであって、一次審査受付け端末により読み取られた、一次審査申請者の、旅券情報、および顔画像情報を含む生体情報を、前記一次審査受付端末より受信する一次審査用情報受信部と、前記一次審査申請者の旅券情報および顔画像情報を含む生体情報を受信した時点で、一次審査受付け終了メッセージを一次審査受付け端末に送信する一次審査受付け終了通知部と、前記受信した一次審査申請者の旅券情報および生体情報を、旅券情報データベースに登録された旅券所有者の旅券情報および生体情報と照合することにより、前記一次審査申請者の一次本人確認処理を実行する一次本人確認部と、前記受信した一次審査申請者の生体情報ないし旅券情報を、ブラックリストデータベースに登録されたブラックリスト登録者の生体情報ないし旅券情報と照合することにより、前記一次審査申請者のブラックリスト該当確認処理を実行するブラックリスト該当確認部と、前記一次本人確認処理の結果と前記ブラックリスト該当確認処理の結果とを含む一次審査結果、および前記受信した一次審査申請者の生体情報を、一次審査結果データベースに記録する一次審査結果記録部と、前記一次本人確認処理において本人確認ができなかった一次審査申請者、または前記ブラックリスト該当確認処理においてブラックリスト登録者と確認された一次審査申請者、である一次審査失格者について、その前記一次審査結果データベースに記録された顔画像情報および一次審査結果を二次審査端末に送信する一次審査失格者通知部と、前記二次審査端末により読み取られた、二次審査申請者の、旅券情報および生体情報を受信する二次審査用情報受信部と、前記受信した二次審査申請者の旅券情報および生体情報を、前記旅券情報データベースに登録された旅券所有者の旅券情報および生体情報と照合することにより、前記二次審査申請者の二次本人確認処理を実行する二次本人確認部と、前記二次審査端末からの処理要求に応じて、前記二次審査申請者についての一次審査の有無確認処理を前記一次審査結果データベースにおいて実行し、その結果を前記二次審査端末に送信する一次審査有無確認部と、を備える。
【０００６】
また、本発明の出入国審査システムは、前記一次審査申請者が出入国ＩＣカード所有者である場合、前記一次審査用情報受信部は、前記一次審査受付け端末により読み取られた、前記一次審査申請者の出入国ＩＣカード情報をも受信し、前記一次本人確認部における前記一次本人確認処理は、前記受信した一次審査申請者の出入国ＩＣカード情報および生体情報を、ＩＣカード情報データベースに登録された出入国ＩＣカード所有者の出入国ＩＣカード情報および生体情報と照合する処理をも含み、前記二次審査申請者が出入国ＩＣカード所有者である場合、前記二次審査用情報受信部は、前記二次審査端末に代えて、前記二次審査端末と並列に設けられ、前記出入国ＩＣカード所有者が二次審査申請する無人二次審査ゲートにより読み取られた、二次審査申請者の、出入国ＩＣカード情報および生体情報を受信し、前記二次本人確認部は、前記受信した二次審査申請者の出入国ＩＣカード情報および生体情報を、前記ＩＣカード情報データベースに登録された出入国ＩＣカード所有者の出入国ＩＣカード情報および生体情報と照合することにより、前記二次審査申請者の二次本人確認処理を実行し、前記一次審査有無確認部は、前記無人二次審査ゲートからの処理要求に応じて、前記二次審査申請者についての一次審査の有無確認処理を前記一次審査結果データベースにおいて実行し、その結果を前記無人二次審査ゲートに送信し、前記二次本人確認処理において本人と確認され、かつ、前記一次審査の有無確認処理において、一次審査を受けていると判断された二次審査申請者について、前記無人二次審査ゲートにゲート開放指示を通知する無人ゲート開閉操作部を備える、とすれば好適である。
【０００７】
また、本発明の出入国審査システムにおいて、前記一次審査受付け端末は、前記読み取った一次審査申請者の旅券情報および顔画像情報を、前記一次審査申請者の搭乗券の半券に印刷し、前記二次審査端末ないし無人二次審査ゲートは、前記搭乗券の半券の旅券情報および顔画像情報を読み取って、この旅券情報および顔画像情報を、前記旅券情報データベースないしＩＣカード情報データベースに登録された該当者の旅券情報および生体情報たる顔画像と照合することにより、前記二次審査申請者の本人確認処理を実行する、とすれば好適である。
【０００８】
また、本発明の出入国審査システムは、前記二次審査端末ないし前記無人二次審査ゲートから取得した、二次審査申請者の最終的な出入国申請受理不受理の情報を出入国管理データベースに格納処理するとともに、当該最終的な出入国申請受理不受理が決定した二次審査申請者の、前記一次審査結果データベースに記録された前記一次審査結果および生体情報を削除処理する審査結果処理部を備える、とすれば好適である。
【０００９】
また、本発明の出入国審査システムは、前記一次審査用情報受信部は、前記一次審査受付け端末により読み取られた、旅券や出入国ＩＣカードに記録された、それらの真正性を証明する情報をも受信し、前記受信した旅券や出入国ＩＣカードの真正性を証明する情報に基づいてそれらの真正性を確認する真正性確認処理部を備える、とすれば好適である。
【００１０】
また、本発明の出入国審査システムは、前記出入国審査システムの入力インターフェースから、ブラックリストの追加および削除情報を含む最新ブラックリスト情報を受信し、当該最新ブラックリスト情報に基づいて前記ブラックリストデータベースを更新するとともに、当該最新ブラックリスト情報に含まれる生体情報を、前記一次審査結果データベースに記録された一次審査申請者の生体情報と照合し、その該当者についての前記一次審査結果を前記最新ブラックリスト情報に合致するよう書き換え処理する最新ブラックリスト情報反映処理部を備える、とすれば好適である。
【００１１】
また、本発明の出入国審査システムは、前記一次審査申請者のうち、二次審査未実施の者について、その前記一次審査結果データベースに記録された前記一次審査結果および生体情報を、前記出入国審査システムの入力インターフェースからの削除要求に応じて削除処理する二次審査未実施者削除処理部を備える、とすれば好適である。
【００１２】
また、本発明の出入国審査方法は、海外渡航者の出入国審査をコンピュータにて行う方法であって、前記コンピュータが、一次審査受付け端末により読み取られた、一次審査申請者の、旅券情報、および顔画像情報を含む生体情報を、前記一次審査受付端末より受信し、前記一次審査申請者の旅券情報および顔画像情報を含む生体情報を受信した時点で、一次審査受付け終了メッセージを一次審査受付け端末に送信し、前記受信した一次審査申請者の旅券情報および生体情報を、旅券情報データベースに登録された旅券所有者の旅券情報および生体情報と照合することにより、前記一次審査申請者の一次本人確認処理を実行し、前記受信した一次審査申請者の生体情報ないし旅券情報を、ブラックリストデータベースに登録されたブラックリスト登録者の生体情報ないし旅券情報と照合することにより、前記一次審査申請者のブラックリスト該当確認処理を実行し、前記一次本人確認処理の結果と前記ブラックリスト該当確認処理の結果とを含む一次審査結果、および前記受信した一次審査申請者の生体情報を、一次審査結果データベースに記録し、前記一次本人確認処理において本人確認ができなかった一次審査申請者、または前記ブラックリスト該当確認処理においてブラックリスト登録者と確認された一次審査申請者、である一次審査失格者について、その前記一次審査結果データベースに記録された顔画像情報および一次審査結果を二次審査端末に送信し、前記二次審査端末により読み取られた、二次審査申請者の、旅券情報および生体情報を受信し、前記受信した二次審査申請者の旅券情報および生体情報を、前記旅券情報データベースに登録された旅券所有者の旅券情報および生体情報と照合することにより、前記二次審査申請者の二次本人確認処理を実行し、前記二次審査端末からの処理要求に応じて、前記二次審査申請者についての一次審査の有無確認処理を前記一次審査結果データベースにおいて実行し、その結果を前記二次審査端末に送信する、ことを特徴とする。
【００１３】
また、本発明の出入国審査プログラムは、海外渡航者の出入国審査方法をコンピュータに実行させるためのプログラムであって、一次審査受付け端末により読み取られた、一次審査申請者の、旅券情報、および顔画像情報を含む生体情報を、前記一次審査受付端末より受信するステップと、前記一次審査申請者の旅券情報および顔画像情報を含む生体情報を受信した時点で、一次審査受付け終了メッセージを一次審査受付け端末に送信するステップと、前記受信した一次審査申請者の旅券情報および生体情報を、旅券情報データベースに登録された旅券所有者の旅券情報および生体情報と照合することにより、前記一次審査申請者の一次本人確認処理を実行するステップと、前記受信した一次審査申請者の生体情報ないし旅券情報を、ブラックリストデータベースに登録されたブラックリスト登録者の生体情報ないし旅券情報と照合することにより、前記一次審査申請者のブラックリスト該当確認処理を実行するステップと、前記一次本人確認処理の結果と前記ブラックリスト該当確認処理の結果とを含む一次審査結果、および前記受信した一次審査申請者の生体情報を、一次審査結果データベースに記録するステップと、前記一次本人確認処理において本人確認ができなかった一次審査申請者、または前記ブラックリスト該当確認処理においてブラックリスト登録者と確認された一次審査申請者、である一次審査失格者について、その前記一次審査結果データベースに記録された顔画像情報および一次審査結果を二次審査端末に送信するステップと、前記二次審査端末により読み取られた、二次審査申請者の、旅券情報および生体情報を受信するステップと、前記受信した二次審査申請者の旅券情報および生体情報を、前記旅券情報データベースに登録された旅券所有者の旅券情報および生体情報と照合することにより、前記二次審査申請者の二次本人確認処理を実行するステップと、前記二次審査端末からの処理要求に応じて、前記二次審査申請者についての一次審査の有無確認処理を前記一次審査結果データベースにおいて実行し、その結果を前記二次審査端末に送信するステップと、を含む。
【００１４】
その他、本願が開示する課題、及びその解決方法は、発明の実施の形態の欄、及び図面により明らかにされる。
【発明の効果】
【００１５】
本発明によれば、審査の厳格性を高めると同時に、渡航者が審査窓口に長時間行列する必要がなく、審査をスムーズに受けることが可能となる。
【発明を実施するための最良の形態】
【００１６】
−−−システム構成−−−
以下に本発明の実施形態について図面を用いて詳細に説明する。図１は本実施形態における出入国審査システム（以下、適宜「システム」という）１０を含むブロック図である。本実施形態のシステム１０は、海外渡航者の出入国審査を行うシステム１０であって、本発明の出入国審査方法を実行する機能を実現すべく書き換え可能メモリなどのプログラムデータベースに格納されたプログラムをメモリに読み出し、演算装置たるＣＰＵにより実行する。また、システム１０は、コンピュータ装置が一般に備えている各種キーボードやボタン類、ディスプレイなどの入出力装置を備えている。また、システム１０は、接続回線を介して接続された、各種データベース１２、一次審査側となる一次審査受付け端末１４、および二次審査側となる二次審査端末１６、無人二次審査ゲート１８、別室端末２０などとの間でデータ授受を担う通信部を有している。システム１０の、後述する各種機能部と通信部との間では、Ｉ／Ｏ部がデータのバッファリングや各種仲介処理を実行している。システム１０の、以上の構成要素のうち、後述する各種機能部以外は図示省略している。
【００１７】
ここで、一次審査受付け端末１４は、無人で一次審査の受付けを行う端末であって、空港などのあらゆる場所に設置されていて構わない。空港などの外部に設置されても構わない。また、１つに限らず多数設けられていて構わない。二次審査端末１６は、二次審査の審査官が扱う端末であって、出入国審査エリア内の二次審査窓口に設置される。無人二次審査ゲート１８は、渡航者の出入国審査手続の流れにおいて二次審査端末１６と並列に、好ましくは近接させて設けられ、後述する出入国ＩＣカードの所有者を対象に無人かつ簡易な二次審査を行うためのゲートである。別室端末２０は、出入国審査エリア内の、違反者拘束担当者が控える二次審査窓口と異なる別室に設置される。
【００１８】
続いて、システム１０が、例えばプログラムに基づき構成・保持する各種機能部について説明を行う。
【００１９】
システム１０は、一次審査受付け端末１４により読み取られた、一次審査申請者の、旅券情報、および顔画像情報を含む生体情報を受信する一次審査用情報受信部２２を備える。また、本実施形態では、一次審査申請者が出入国ＩＣカード所有者である場合、一次審査用情報受信部２２は、一次審査受付け端末１４により読み取られた、一次審査申請者の出入国ＩＣカード情報をも受信する。
【００２０】
ここで、本実施形態で使用される旅券としては、旅券にＩＣチップを搭載し、国籍、氏名、生年月日など、旅券面に記された属性情報すなわち「旅券情報」の他、顔画像、指紋、指静脈等の生体情報を電磁的に記録したもの、いわゆるＩＣ旅券を想定している。また、本実施形態で使用される出入国ＩＣカードとは、例えば日本国においては日本国籍を有する者や長期間日本に滞在実績のある外国人など一定の者に対し、出入国審査の簡素化などを目的として発行され、ＩＣチップを搭載し、国籍、氏名、生年月日などの属性情報すなわち「出入国ＩＣカード情報」の他、顔画像、指紋、指静脈等の生体情報を電磁的に記録したものを想定している。また、出入国ＩＣカードには、後述するように、一次審査実行有無フラグ情報も記録される。
【００２１】
またシステム１０は、前記一次審査申請者の旅券情報および顔画像情報を含む生体情報を受信した時点で、一次審査受付け終了メッセージを一次審査受付け端末１４に送信し、当該一次審査受付け端末１４の表示部に表示する一次審査受付け終了通知部２４を備える。この一次審査受付け終了メッセージを見た一次審査申請者は、後続の、一次本人確認処理やブラックリスト該当確認処理の実行を待つことなく、二次審査側などへと向かうことができる。一般に生体情報を利用した各種処理、特に世界中のブラックリスト登録者の生体情報を含むブラックリストデータベースとの照合処理には非常に時間がかかるが、本実施形態の出入国審査システム１０では、審査申請者（渡航者）が一次審査受付から二次審査側へと移動する時間を利用してその処理を実行するので、渡航者は従来のように審査窓口に長時間行列する必要がなく、審査をスムーズに受けることが可能となる。
【００２２】
ここで、本実施形態では、一次審査受付け端末１４によって、一次審査の実行有無情報が出入国ＩＣカードに記録されることとする。具体的には、出入国ＩＣカードのＩＣチップにあらかじめ一次審査実行有無フラグエリアを設定し、当該フラグを一次審査受付け時に書き換えることとすればよい。
【００２３】
またシステム１０は、前記一次審査用情報受信部２２にて受信した一次審査申請者の旅券情報および生体情報を、旅券情報データベース２８に登録された旅券所有者の旅券情報および生体情報と照合することにより、当該一次審査申請者の一次本人確認処理を実行する一次本人確認部２６を備える。また、本実施形態では、一次審査申請者が出入国ＩＣカード所有者である場合、一次本人確認部２６における一次本人確認処理は、前記一次審査用情報受信部２２にて受信した一次審査申請者の出入国ＩＣカード情報および生体情報を、ＩＣカード情報データベース３０に登録された、出入国ＩＣカード所有者の出入国ＩＣカード情報および生体情報と照合する処理をも含む。
【００２４】
またシステム１０は、前記一次審査用情報受信部２２にて受信した一次審査申請者の生体情報を、ブラックリストデータベース３２に登録されたブラックリスト登録者の生体情報と照合することにより、当該一次審査申請者のブラックリスト該当確認処理を実行するブラックリスト該当確認部３４を備える。
【００２５】
このように本実施形態では、渡航者の生体情報を利用して本人確認処理やブラックリスト該当確認処理を実行するので、非常に厳格に出入国審査を行うことが可能となる。しかも、読み取られた生体情報と、あらかじめ旅券情報データベース２８やＩＣカード情報データベース３０、ブラックリストデータベース３２に登録された生体情報との照合処理はシステム１０により自動的に実行されるため、従来のような出入国審査官の労力や、窓口審査に要していた時間を大幅に低減することが可能となる。
【００２６】
ここで、ブラックリストデータベース３２に登録されたブラックリスト登録者の生体情報は、顔画像情報、指紋情報、指静脈情報などが考えられるが、各ブラックリスト登録者について必ずしもそれらの全てが登録されているとは限らない。従って、一次審査受付け端末１４などにおける審査申請者の生体情報読み取りでは、なるべく多種類の生体情報を読み取ることによって、少なくとも一種の生体情報について照合処理を実行することができるようにすれば好ましい。またその際、例えば指紋情報のみが登録されているブラックリスト登録者との照合処理において、一次審査申請者の顔画像および指静脈の生体情報のみを読み取ることができたような場合（指紋情報は読み取りに失敗することも少なくない。また、疑似指などにより指紋情報を偽造される場合もある。）は、例えば、旅券や出入国ＩＣカードに記録された顔画像情報や指静脈情報から本人確認処理を行った後、旅券や出入国ＩＣカードに記録されている指紋情報とブラックリスト登録者の指紋情報との照合処理を行うことなどとすれば好適である。
【００２７】
また、一次審査受付け端末１４や二次審査端末１６、無人二次審査ゲート１８などにおいて、疑似指などにより指紋情報を偽造される場合の対策として、ブラックリスト該当確認処理や一次本人確認処理、あるいは後述する二次本人確認処理などにおいて、指静脈読み取り装置などを利用して、指の生体反応を確認することとすれば好ましい。具体的には例えば、生体情報の読み取り処理において、まず指静脈読み取り装置から指の生体反応を調べ、生体反応がある場合、すなわち疑似指ではないと判断される場合、次に指紋情報の読み取りを行うことなどとすればよい。この場合、必ずしも、指静脈情報を読み取り、ブラックリスト該当確認処理や一次／二次本人確認処理などに利用しなくともよい。或いは、指紋と指静脈の同時読取りを行って、旅行者の利便性を向上し、生体情報の偽造対策を実現するとしてもよい。
【００２８】
またシステム１０は、前記一次本人確認処理の結果と前記ブラックリスト該当確認処理の結果とを含む一次審査結果、および前記一次審査用情報受信部２２にて受信した一次審査申請者の生体情報を、一次審査結果データベース３６に記録する一次審査結果記録部３８を備える。本実施形態では、前述のように、一次本人確認処理の結果には旅券情報による照合処理の結果に加え、出入国ＩＣカード情報による照合処理の結果も含まれる。
【００２９】
また本実施形態では、旅券および出入国ＩＣカードには、それらの真正性、すなわち、それらが公的機関などによって正しく発行されたものであるか否かを証明する情報が記録されており、本実施形態のシステム１０は、前記一次審査用情報受信部２２において、前記一次審査受付け端末１４により読み取られた、旅券や出入国ＩＣカードに記録された、それらの真正性を証明する情報をも受信し、これら受信した旅券や出入国ＩＣカードの真正性を証明する情報に基づいて、それらの真正性を確認する真正性確認処理４０をも備える。真正性を確認する方法としては、例えばＰＫＩ（公開鍵基盤）などのセキュリティ技術を利用することができる。
【００３０】
この旅券や出入国ＩＣカードの真正性確認処理は、前述の、一次本人確認部２６による一次本人確認処理の前後などに実行することとすればよい。また、本実施形態では、前述の一次審査結果として、一次本人確認処理の結果とブラックリスト該当確認処理の結果とに加え、旅券や出入国ＩＣカードの真正性確認処理の結果をも含むこととする。このように本実施形態では、旅券やＩＣカードなどの偽造行為を確実に防止し、出入国審査における違反行為をよりいっそう厳格に取り締まることが可能となる。
【００３１】
またシステム１０は、前記一次本人確認部２６による一次本人確認処理において本人確認ができなかった一次審査申請者や、前記ブラックリスト該当確認処理においてブラックリスト登録者と確認された一次審査申請者など、すなわち一次審査失格者について、その前記一次審査結果データベース３６に記録された顔画像情報および一次審査結果を二次審査端末１６に送信し、当該二次審査端末１６の表示部に表示する一次審査失格者通知部４２を備える。
【００３２】
図２は、これら一次審査失格者の顔画像情報および一次審査結果を二次審査端末１６の表示部１６ａに表示する、一次審査失格者通知画面の一例である。画面下方に複数表示された一次審査失格者の顔画像は随時追加され、左右に遷移して行く。それらの画像のうち、所望の画像を選択すると画面上部に拡大表示される。拡大表示された一次審査失格者についての一次審査結果（一次本人確認失敗、旅券や出入国ＩＣカードの真正性確認失敗、ブラックリスト登録者に該当など）が画面右上に表示される。また、拡大表示された一次審査失格者が出入国ＩＣカードを所持しているか否かにより、二次審査窓口に向かうか、無人二次審査ゲート１８に向かうかを画面左上に表示し、拘束すべき場所を指示する。
【００３３】
ここで、本実施形態の一次審査失格者通知部４２は、違反者拘束を担当する警備・警察などの者が控える、二次審査側の別室に設置される別室端末２０に対しても、一次審査失格者通知画面を送信し、その表示部に表示することとしている。ここで、必ずしも本実施形態のように別室端末２０を設けなくともよく、例えば、二次審査端末１６を介して一次審査失格者通知部４２からの通知を受けた二次審査の審査官が、別室に連絡し、一次審査失格者を拘束するために違反者拘束担当者を呼ぶことなどとしてもよい。
【００３４】
このように本実施形態では、一次審査失格者通知画面を、二次審査端末１６を介して二次審査の審査官に、そして別室端末２０を介して別室に控える違反者拘束担当者に対して通知することとしたので、二次審査の審査官や違反者拘束担当者は、一次審査失格者が一次審査側から二次審査側へと向かう間に、当該一次審査失格者に対処する、あるいは拘束する準備を整えることが可能となる。
【００３５】
また、本実施形態では、一次審査受付け端末１４では一次審査の受付を行うのみであって、仮に一次本人確認処理に失敗したりブラックリスト登録者と確認されたりした一次審査失格者であっても、本人は一次審査に失格したことを知らないまま、全て二次審査側へと誘導されるので、二次審査窓口や無人二次審査ゲート１８など二次審査側の場所において一次審査失格者を一網打尽に拘束することが可能となる。
【００３６】
またシステム１０は、二次審査端末１６により読み取られた、二次審査申請者の、旅券情報および生体情報を受信する二次審査用情報受信部４４を備える。
【００３７】
またシステム１０は、前記二次審査用情報受信部４４にて受信した二次審査申請者の旅券情報および生体情報を、前記旅券情報データベース２８に登録された旅券所有者の旅券情報および生体情報と照合することにより、当該二次審査申請者の二次本人確認処理を実行する二次本人確認部４６を備える。
【００３８】
また、本実施形態では、二次審査申請者が出入国ＩＣカード所有者である場合、二次審査用情報受信部４４は、二次審査端末１６に代えて、無人二次審査ゲート１８により読み取られた二次審査申請者の出入国ＩＣカード情報および生体情報を受信する。さらにその場合、二次本人確認部４６は、前記二次審査用情報受信部４４にて受信した二次審査申請者の出入国ＩＣカード情報および生体情報を、ＩＣカード情報データベース３０に登録された出入国ＩＣカード所有者の出入国ＩＣカード情報および生体情報と照合することにより、前記二次審査申請者の二次本人確認処理を実行する。
【００３９】
このように本実施形態では、二次審査窓口や無人二次審査ゲート１８においても、渡航者の生体情報を利用して二次本人確認処理を実行するので、一次審査受付から二次審査側へと向かう間に渡航者が入れ替わるなどの違反行為を厳格に取り締まることが可能となる。しかも、読み取られた旅券情報、出入国ＩＣカード情報、および生体情報と、旅券情報データベース２８やＩＣカード情報データベース３０に登録された生体情報との照合処理は自動的に実行されるため、従来のような出入国審査官の労力や、窓口審査に要していた時間を大幅に低減することが可能となる。
【００４０】
ここで、変形例として、二次本人確認部４６における二次本人確認処理は、二次審査端末１６あるいは無人二次審査ゲート１８により読み取られ、送信された旅券情報、出入国ＩＣカード情報、および生体情報を、旅券情報データベース２８やＩＣカード情報データベース３０に登録された情報でなく、前記一次審査結果データベース３６に記録された一次審査申請者の生体情報などと照合することにより行うこととしてもよい。
【００４１】
またシステム１０は、二次審査端末１６からの処理要求に応じて、二次審査申請者についての一次審査の有無確認処理を前記一次審査結果データベース３６において実行し、その結果を前記二次審査端末１６に送信する一次審査有無確認部４８を備える。また、本実施形態では、二次審査申請者が出入国ＩＣカード所有者である場合、一次審査有無確認部４８は、無人二次審査ゲート１８からの処理要求に応じて、二次審査申請者についての一次審査の有無確認処理を前記一次審査結果データベース３６において実行し、その結果を前記無人二次審査ゲート１８に送信する。
【００４２】
ここで、二次審査端末１６からの処理要求は、二次審査の審査官が二次審査端末１６から送信することとしてもよいし、例えば二次審査端末１６における生体情報読み取りなどの後、自動的に二次審査端末１６から送信されることとしてもよい。また、無人二次審査ゲート１８からの処理要求は、例えば無人二次審査ゲート１８における生体情報読み取りなどの後、自動的に無人二次審査ゲート１８から送信されることなどとすればよい。
【００４３】
このように本実施形態では、二次審査窓口や無人二次審査ゲート１８において、二次審査申請者の一次審査の有無を確認することができるので、一次審査を受けていない渡航者が二次審査側に来てしまった場合には、例えば二次審査官や警備の者が、当該渡航者（二次審査申請者）に対して一次審査受付け端末１４へと戻り、一次審査受付け手続をし直すよう要求するなど、適切に対処することが可能となる。
【００４４】
またシステム１０は、二次審査申請者が出入国ＩＣカード所有者である場合、前記二次本人確認部４６での二次本人確認処理において本人と確認され、かつ、前記一次審査有無確認部４８での一次審査の有無確認処理において、一次審査を受けていると判断された二次審査申請者について、無人二次審査ゲート１８を開放する無人ゲート開閉操作部５０を備える。無人二次審査ゲート１８が開放された場合、渡航者は、後続する出入国手続、例えば空港における出国の場合であれば搭乗ゲートなどへと向かうことができる。出入国ＩＣカード所有者でない者が二次審査窓口において二次審査を問題なく終了した場合も同様に、後続する出入国手続へと向かうことができる。
【００４５】
また、本実施形態のシステム１０は、前記二次審査端末１６や前記無人二次審査ゲート１８から取得した、二次審査申請者の最終的な出入国申請受理不受理の情報を出入国管理データベース５２に格納処理するとともに、当該最終的な出入国申請受理不受理が決定した二次審査申請者の、前記一次審査結果データベース３６に記録された前記一次審査結果および生体情報を削除処理する審査結果処理部５４を備える。
【００４６】
このように本実施形態では、最終的な出入国申請受理不受理が決定した二次審査申請者については、一次審査結果データベース３６に記録された情報を削除することとしているので、例えば、一次審査に合格し二次審査に失格した渡航者が、後に再び出入国審査申請を行う場合、本来ならば一次審査からやり直すべきところを、誤って一次審査を受けずに二次審査を受けてしまうことなどを確実に防止することができる。
【００４７】
また、本実施形態のシステム１０は、前記出入国審査システム１０の入力インターフェースから、ブラックリストの追加および削除情報を含む最新ブラックリスト情報を受信し、当該最新ブラックリスト情報に基づいて前記ブラックリストデータベース３２を更新するとともに、当該最新ブラックリスト情報に含まれる生体情報を、前記一次審査結果データベース３６に記録された一次審査申請者の生体情報と照合し、その該当者についての前記一次審査結果を前記最新ブラックリスト情報に合致するよう書き換え処理する最新ブラックリスト情報反映処理部を備える。
【００４８】
ここで、「出入国審査システム１０の入力インターフェースから」とは、例えば、警察の端末など最新ブラックリスト情報が提供される端末から、出入国審査システム１０の入力インターフェースを介して最新ブラックリスト情報反映処理部がこれを自動的に受信し、ブラックリストデータベース３２更新および一次審査結果の書き換え処理を実行することとしてもよい。また、最新ブラックリスト情報がＦＡＸなどにより提供された場合には、システム１０の入出力装置から人手により最新ブラックリスト情報を入力し、最新ブラックリスト情報反映処理部がこれを受信して、ブラックリストデータベース３２更新および一次審査結果の書き換え処理を実行することなどとすればよい。
【００４９】
このように本実施形態によれば、常に最新のブラックリスト情報を反映させて、適切にブラックリストデータベース３２の内容を更新することが可能となるとともに、仮に、ある渡航者について、一次審査が実行終了してしまった後に、新たにブラックリストに登録されたり、あるいは新たにブラックリストから外れたりした場合であっても、当該渡航者が二次審査に向かうまでの間に、一次審査結果データベース３６に記録された一次審査結果を書き換え処理することができるので、常に最新ブラックリスト情報に合致させることができ、出入国審査のタイムラグに基づく審査過誤を確実に防止することができる。
【００５０】
また、本実施形態のシステム１０は、前記一次審査申請者のうち、二次審査未実施の者について、その前記一次審査結果データベース３６に記録された前記一次審査結果および生体情報を、前記出入国審査システム１０の入力インターフェースからの削除要求に応じて削除処理する二次審査未実施者削除処理部５８を備える。ここで、「出入国審査システム１０の入力インターフェースからの削除要求」とは、例えば、システム１０の入出力装置から人手により入力される削除要求を指す。
【００５１】
このように本実施形態によれば、例えば出国手続の一次審査受付け終了後に家族に急病人が出て、二次審査を実施することなく、一次審査受付け終了後に帰宅してしまったような一次審査申請者については、例えば一日の出国審査が最終的に終了した時点などにおいて二次審査未実施者と特定し、その一次審査結果および生体情報を削除処理することができるので、当該一次審査申請者が後日再び出国審査を申請する場合において、すでに一次審査受付け、実行済みと判断されてしまうような不備を確実に防止することが可能となる。
【００５２】
システム１０が有する以上の各機能部は、ハードウェアとして実現してもよいし、メモリやＨＤＤ（Ｈａｒｄ  Ｄｉｓｋ  Ｄｒｉｖｅ）などの適宜な記憶装置に格納したプログラムとして実現することとしてもよい。この場合、前記ＣＰＵがプログラム実行に合わせて記憶装置より該当プログラムをメモリに読み出して、これを実行することとなる。
【００５３】
また、本実施形態の変形例として、例えば無人ゲート開閉操作部５０を無人二次審査ゲート端末が備える構成などとしてもよい。そのような場合、システム１０の機能の一部を、無人二次審査ゲート端末が備え、本実施形態の出入国審査方法を、システム１０と無人二次審査ゲート端末とが協働して実現することとなる。
【００５４】
次に、一次審査受付け端末１４について説明する。一次審査受付け端末１４は、顔画像情報を含む各種の生体情報を読み取る生体情報読み取り部１４ａ、旅券や出入国ＩＣカードから旅券情報や出入国ＩＣカード情報を、また、搭乗券（入国審査の場合は搭乗券の半券など）から搭乗券に記録された情報などを読み取るための読み取り部１４ｂ、および一次審査受付け終了メッセージなどを表示する表示部１４ｃを備える。また、一次審査受付け端末１４は、出国審査の場合、前記生体情報読み取り部や前記読み取り部などで読み取った一次審査申請者の旅券情報および顔画像情報を、当該一次審査申請者の搭乗券の半券に印刷する印刷部１４ｄを備える。図３には、旅券情報および顔画像情報が半券の側に印刷された搭乗券の模式図を示している。本実施形態では、搭乗券については、これら旅券情報および顔画像情報が印刷されていることをもって、一次審査実行済みと判断される。  その他、図示省略しているが、一次審査受付け端末１４は、システム１０とデータの送受信を行う送受信部や、一次審査結果を一時的に記憶させるための一時記憶装置、前述の一次審査実行有無フラグを書き換え処理するフラグ書き換え処理部などを備えているものとする。また、この一次審査受付け端末１４の具体的なイメージとしては、例えばｋｉｏｓｋ端末を想定できる。
【００５５】
このように本実施形態では、出国審査後も渡航者が保有する搭乗券の半券に、一次審査受付け端末１４で読み取られた旅券情報および顔画像情報を印刷することとしたので、二次審査窓口や、渡航先の国における審査において、審査官の目視などにより、搭乗券の所有者が一次審査申請者と同一人物であることを確認することができ、一次審査受付け後に渡航者が入れ替わるなどの違反行為をよりいっそう厳格に取り締まることが可能となる。
【００５６】
また、前記搭乗券の半券に印刷された旅券情報および顔画像情報は、前記二次審査端末１６ないし無人二次審査ゲート１８で読み取られて、前記旅券情報データベース２８ないしＩＣカード情報データベース３０に登録された該当者の旅券情報および生体情報たる顔画像と照合することによる二次審査申請者の本人確認処理に供されるとしてもよい。
【００５７】
次に、二次審査端末１６について説明する。二次審査端末１６は、各種の生体情報を読み取る生体情報読み取り部１６ｂ、旅券から旅券情報を、また搭乗券から搭乗券に記録された情報などを読み取るための読み取り部１６ｃ、システム１０から受信する一次審査失格者通知画面や一次審査有無情報を表示する表示部１６ａを含む入出力装置１６ａを備える。その他、図示省略しているが、システム１０とデータの送受信を行う送受信部や、二次審査端末１６における二次審査の結果を一時的に記憶させるための一時記憶装置などを備えているものとする。
【００５８】
次に、無人二次審査ゲート１８について説明する。無人二次審査ゲート１８は、各種の生体情報を読み取る生体情報読み取り部１８ａ、旅券や出入国ＩＣカードから旅券情報や出入国ＩＣカード情報を、また搭乗券から搭乗券に記録された情報などを読み取るための読み取り部１８ｂ、および、無人二次審査ゲート１８における二次審査の合格者に対しては開放され、失格者に対しては閉止されるゲート１８ｃを備える。その他、図示省略しているが、システム１０とデータの送受信を行う送受信部や、無人二次審査ゲート１８における二次審査の結果を一時的に記憶させるための一時記憶装置などを備えているものとする。この無人二次審査ゲート１８は、ゲートを開閉して人々の出入りをコントロールする機構部分に加えて、例えばｋｉｏｓｋ端末３とセットになっていると想定できる。この場合、前記ｋｉｏｓｋ端末３は、前記生体情報読み取り部１８ａや前記読み取り部１８ｂによる処理結果等を表示するディスプレイなどの表示部５を備えている。
【００５９】
次に、別室端末２０について説明する。別室端末２０は、各種の生体情報を読み取る生体情報読み取り部２０ａ、旅券や出入国ＩＣカードから旅券情報や出入国ＩＣカード情報を、また搭乗券から搭乗券に記録された情報などを読み取るための読み取り部２０ｂ、システム１０から受信する一次審査失格者通知画面や一次審査有無情報を表示する表示部２０ｃを含む入出力装置２０ｃを備える。その他、図示省略しているが、システム１０とデータの送受信を行う送受信部や、別室端末２０における二次審査の結果を一時的に記憶させるための一時記憶装置などを備えているものとする。
【００６０】
本実施形態の変形例として、出国審査の場合、二次審査通過後の、搭乗直前の搭乗ゲートにおいても、前記無人二次審査ゲート１８と同様の審査、すなわち生体情報を用いた本人確認、出入国ＩＣカードによる審査、搭乗券による審査、一次審査有無確認部４８による一次審査の有無確認処理などを実行することとしてもよい。そのようにすれば、二次審査後に渡航者が入れ替わるなどの違反行為をいっそう厳格に取り締まることが可能となる。
【００６１】
−−−データベース構造−−−
次に、本実施形態において利用されるデータベースの構造について説明する。図４は、本実施形態においてシステム１０が利用する（ａ）旅券情報データベース２８、（ｂ）ブラックリストデータベース３２、（ｃ）一次審査結果データベース３６、（ｄ）ＩＣカード情報データベース３０、（ｅ）出入国管理データベース５２、（ｆ）拘束場所情報データベース６０の各データ構造例を示す図である。
【００６２】
旅券情報データベース２８は、一次本人確認部２６および二次本人確認部４６による一本人確認処理および二次本人確認処理などにおいて利用されるデータベースであり、例えば、各旅券所有者の旅券情報、生体情報、それら以外の属性情報などを含むレコードの集合体となっている。
【００６３】
ブラックリストデータベース３２は、ブラックリスト該当確認部３４によるブラックリスト該当確認処理などにおいて利用されるデータベースであり、例えば、ブラックリスト登録者の旅券情報、生体情報、それら以外の属性情報などを含むレコードの集合体となっている。
【００６４】
一次審査結果データベース３６は、一次審査結果記録部３８において記録される情報を含むデータベースであり、例えば、一次審査申請者の旅券情報、一次審査端末で読み取られた生体情報、それら以外の属性情報、旅券チェック（旅券による本人確認および旅券の真正性確認）におけるエラーの有無（フラグ、標準状態では「エラー無し」を示している）、旅券チェックのエラーがあった場合その内容、旅券チェックの完了有無（フラグ）、出入国ＩＣカードチェック（出入国ＩＣカードによる本人確認および出入国ＩＣカードの真正性確認）におけるエラーの有無（フラグ、標準状態では「エラー無し」を示している）、出入国ＩＣカードチェックのエラーがあった場合その内容、出入国ＩＣカードチェックの完了有無（フラグ）、ブラックリスト該当の有無（フラグ、標準状態では「該当せず」を示している）、ブラックリストに該当した場合その内容、ブラックリスト該当確認処理の完了有無（フラグ）、および一次審査の有無（フラグ）などを含むレコードの集合体となっている。
【００６５】
ＩＣカード情報データベース３０は、一次本人確認部２６および二次本人確認部４６による一本人確認処理および二次本人確認処理などにおいて利用されるデータベースであり、例えば、各出入国ＩＣカード所有者の出入国ＩＣカード情報、生体情報、それら以外の属性情報などを含むレコードの集合体となっている。
【００６６】
出入国管理データベース５２は、審査結果処理部５４などにより利用されるデータベースであり、例えば、二次審査申請者旅券情報、その他の属性情報、最終的な出入国申請受理不受理の情報、などを含むレコードの集合体となっている。
【００６７】
拘束場所情報データベース６０は、出入国審査エリアにおける違反者の逃亡行動を把握するなどの目的から、二次審査側において拘束された違反者の拘束場所を記録するデータベースであり、例えば、拘束された違反者の旅券情報、その他の属性情報、拘束場所情報、などを含むレコードの集合体となっている。
【００６８】
−−−処理の実際−−−
以下、本実施形態における出入国審査方法の実際手順について、図に基づき説明する。なお、以下で説明する出入国審査方法に対応する各種動作は、出入国審査システム１０が、メモリに読み出して実行するプログラムによって実現される。そして、このプログラムは、以下に説明される各種の動作を行うためのコードから構成されている。
【００６９】
−−−処理フロー例１−−−
図５は、本実施形態の出入国審査方法の実施手順例１を示すフロー図である。ここでは、出入国ＩＣカードを所持する渡航者の一次審査について、一次審査受付け端末１４において実行される処理について説明する。
【００７０】
一次審査受付け端末１４ではまず、渡航者すなわち一次審査申請者について、生体情報読み取り部１４ａにて生体情報読み取りを実行する。生体情報読み取り処理の詳細については処理フロー例２で説明する。また、読み取り部１４ｂにて旅券情報および出入国ＩＣカード情報読み取りを実行する（Ｓ１００）。本実施形態では、生体情報として、顔画像情報、指紋情報、および指静脈情報を読み取るものとする。
【００７１】
次に、一次審査受付け端末１４では、一次審査申請者の搭乗券の半券に、ステップＳ１００において読み取った旅券情報および顔画像情報を印刷する（Ｓ１０２）。ここで、一次審査受付け端末１４では、航空券の場合はチェックインなどが行えることとしてもよい。
【００７２】
次に、一次審査受付け端末１４では、システム１０に向けて、ステップＳ１００において読み取った旅券情報、出入国ＩＣカード情報、および生体情報を送信する（Ｓ１０４）。次に、一次審査受付け端末１４では、システム１０から送信される一次審査受付け終了メッセージを表示部に表示する（Ｓ１０６）。一次審査申請者はこの一次審査受付け終了メッセージを見て、二次審査側へと向かうことになる。
【００７３】
−−−処理フロー例２−−−
図６は、本実施形態の出入国審査方法の実施手順例２を示すフロー図である。ここでは、処理フロー例１における生体情報読み取り処理の詳細について説明する。
【００７４】
一次審査受付け端末１４ではまず、指静脈読み取り装置を利用して、指の生体反応を確認する（Ｓ２００）。生体反応が確認された場合、すなわち擬似指などではないと判断された場合、ステップＳ２０２を実行する。或いは、指紋と指静脈の同時読取りを実行して、旅行者の利便性を向上させると共に、生体情報の偽造対策等を施すとしても良い。
【００７５】
生体反応が確認されなかった場合は、適宜なエラー処理、例えば警備の者が説明や確認を行った上で再度読み取りを行うなど適宜な処置をとる（Ｓ２０４）。ここで、前述のように、本実施形態では基本的に一次審査の結果は一次審査申請者には知らされないため、仮に違反者がいたとしても当該違反者は二次審査側で拘束される。しかしながら一次審査受付け端末１４において擬似指を使用するなどの明らかな違反者は、一次審査受付け端末１４の場所で拘束することとしてもよい。
【００７６】
次に、一次審査受付け端末１４では、生体情報読み取り処理を実行する（Ｓ２０２）。次に、一次審査受付け端末１４では、生体情報読み取りが問題なく行われたか否かの判断を行う（Ｓ２０６）。一部あるいは全ての生体情報が読み取れた場合（Ｓ２０６：「全てＯＫｏｒ一部ＯＫ」）には、読み取った生体情報の表示部１４ｃへの出力表示処理を実行して（ｓ２１０）、フローを終了する。他方、全ての生体情報が読み取れなかった場合（Ｓ２０６：「全てＮＧ」）には、再度、生体情報の読み取り処理実行を促すメッセージを表示するなど、適宜なエラー処理を実行する（Ｓ２０８）。
【００７７】
−−−処理フロー例３−−−
図７は、本実施形態の出入国審査方法の実施手順例３を示すフロー図である。ここでは、出入国ＩＣカードを所持する渡航者の一次審査について、システム１０において実行される処理について説明する。
【００７８】
システム１０ではまず、一次審査用情報受信部２２にて、一次審査受付け端末１４により読み取られた一次審査申請者の旅券情報、出入国ＩＣカード情報、および生体情報を受信する（Ｓ３００）。次に、システム１０では、一次審査受付け終了通知部２４にて、一次審査受付け端末１４に向けて一次審査受付け終了メッセージを送信する（Ｓ３０２）。
【００７９】
次に、システム１０では、旅券のチェック処理を行う（Ｓ３０４）。旅券チェック処理の詳細については処理フロー例４で説明する。次に、システム１０では、出入国ＩＣカードのチェック処理を行う（Ｓ３０６）。出入国ＩＣカードチェック処理の詳細については処理フロー例５で説明する。次に、システム１０では、ブラックリスト該当確認部３４にて、ブラックリスト該当確認処理を行う（Ｓ３０８）。ブラックリスト該当確認処理の詳細については処理フロー例６で説明する。
【００８０】
次に、システム１０では、一次審査記録部にて、一次審査結果、およびステップＳ３００にて受信した一次審査申請者の生体情報を一時審査結果データベースに記録する（Ｓ３１０）。
【００８１】
次に、システム１０では、一次審査の結果から当該一次審査申請者が一次審査失格者であるか否かを判断し（Ｓ３１２）、一次審査失格者である場合（Ｓ３１２：ＹＥＳ）は、一次審査失格者通知部４２にて、当該一次審査失格者の顔画像情報および一次審査結果を一次審査結果データベース３６から抽出し、一次審査失格者通知画面（図２参照）として二次審査端末１６および別室端末２０に向けて送信し（Ｓ３１４）、一次審査処理を終了する。一次審査失格者でない場合（Ｓ３１２：ＮＯ）は、直ちに一次審査処理を終了する。
【００８２】
−−−処理フロー例４−−−
図８は、本実施形態の出入国審査方法の実施手順例４を示すフロー図である。ここでは、処理フロー例３における旅券チェック処理の詳細について説明する。
【００８３】
システム１０はまず、真正性確認処理４０にて、旅券の真正性を確認する（Ｓ４００）。旅券が真正でなかった場合（Ｓ４００：ＮＯ）は、一次審査結果記録部３８にて、一次審査結果データベース３６にその結果を記録する（Ｓ４０２）。具体的には、旅券エラー有無フラグを「エラー有り」に変更するとともに、旅券エラー内容に「真正性失格」の旨を記録する。旅券が真正であった場合（Ｓ４００：ＹＥＳ）は、ステップＳ４０４以降の処理を実行する。
【００８４】
次に、システム１０では、一次本人確認部２６にて、旅券情報を利用して一次本人確認処理を実行する（Ｓ４０４）。問題あり、すなわち本人でないと判断された場合（Ｓ４０４：問題あり）は、一次審査結果記録部３８にて、一次審査結果データベース３６にその結果を記録する（Ｓ４０６）。具体的には、旅券エラー有無フラグを「エラー有り」に変更するとともに、旅券エラー内容に「一次本人確認失格」の旨を記録する。問題なし、すなわち本人であると判断された場合（Ｓ４０４：問題なし）は、ステップＳ４０８以降の処理を実行する。
【００８５】
次に、システム１０では、一次審査結果記録部３８にて、一次審査結果データベース３６の旅券チェック完了フラグを「チェック完了」に変更し（Ｓ４０８）、その「チェック完了」の旨を例えば一次審査受付け端末１４の表示部１４ｃなど適宜な端末の表示装置に出力し（ｓ４０９）、処理を終了する。
【００８６】
−−−処理フロー例５−−−
図９は、本実施形態の出入国審査方法の実施手順例５を示すフロー図である。ここでは、処理フロー例３における出入国ＩＣカードチェック処理の詳細について説明する。
【００８７】
システム１０はまず、真正性確認処理４０にて、出入国ＩＣカードの真正性を確認する（Ｓ５００）。出入国ＩＣカードが真正でなかった場合（Ｓ５００：ＮＯ）は、一次審査結果記録部３８にて、一次審査結果データベース３６にその結果を記録する（Ｓ５０２）。具体的には、出入国ＩＣカードエラー有無フラグを「エラー有り」に変更するとともに、出入国ＩＣカードエラー内容に「真正性失格」の旨を記録する。出入国ＩＣカードが真正であった場合（Ｓ５００：ＹＥＳ）は、ステップＳ５０４の処理を実行する。
【００８８】
次に、システム１０では、一次本人確認部２６にて、出入国ＩＣカード情報を利用して一次本人確認処理を実行する（Ｓ５０４）。問題あり、すなわち本人でないと判断された場合（Ｓ５０４：問題あり）は、一次審査結果記録部３８にて、一次審査結果データベース３６にその結果を記録する（Ｓ５０６）。具体的には、出入国ＩＣカードエラー有無フラグを「エラー有り」に変更するとともに、出入国ＩＣカードエラー内容に「一次本人確認失格」の旨を記録する。問題なし、すなわち本人であると判断された場合（Ｓ５０４：問題なし）は、ステップＳ５０８の処理を実行する。
【００８９】
次に、システム１０では、出入国ＩＣカードのＩＣチップに記録されている一次審査実行有無フラグを「一次審査実行済み」に変更する（Ｓ５０８）。次に、システム１０では、一次審査結果記録部３８にて、一次審査結果データベース３６の一次審査実行有無フラグチェック完了フラグを「チェック完了」に変更し（Ｓ５１０）、その「チェック完了」の旨を例えば一次審査受付け端末１４の表示部１４ｃなど適宜な端末の表示装置に出力し（ｓ５１１）、処理を終了する。
【００９０】
−−−処理フロー例６−−−
図１０は、本実施形態の出入国審査方法の実施手順例６を示すフロー図である。ここでは、処理フロー例３におけるブラックリスト該当確認処理の詳細について説明する。
【００９１】
システム１０はまず、一次審査受付け端末１４にてどのような生体情報が読み取れたか、そして一次審査用情報受信部２２にて受信されたかを確認する（Ｓ６００）。ここで、本実施形態では一部のブラックリスト登録者については指紋情報しか登録されていないこととし、一次審査受付け端末１４では顔画像、指紋情報、指静脈情報を読みとることが可能とする。ところが指紋情報は読み取りができないことが少なくなく、そのような場合は、上記一部ブラックリスト登録者についてはブラックリスト該当確認処理が実行できなくなってしまう。
【００９２】
そこで、顔画像と指静脈情報しか読み取れなかった場合（Ｓ６００：一部読み取り）には、当該一次審査申請者の旅券または出入国ＩＣカードに記録された指紋情報を利用してブラックリスト該当確認処理を実行することとする（Ｓ６０２）。指紋除法を含めた全ての生体情報が読み取れた場合（Ｓ６００：全て読み取り）には、読み取った指紋情報を利用してブラックリスト該当確認処理を実行することとする（Ｓ６０４）。
【００９３】
次に、システム１０では、ブラックリスト該当確認部３４にて、ブラックリスト該当確認処理を実行する（Ｓ６０６）。ブラックリスト登録者に該当した場合（Ｓ６０６：該当あり）は、一次審査結果記録部３８にて、一次審査結果データベース３６にその結果を記録する（Ｓ６０８）。具体的には、ブラックリスト該当有無フラグを「該当有り」に変更するとともに、ブラックリスト該当内容に具体的な内容を記録する。ブラックリスト登録者に該当しなかった場合（Ｓ６０６：該当なし）は、ステップＳ６１０の処理を実行する。
【００９４】
次に、システム１０では、一次審査結果記録部３８にて、一次審査結果データベース３６のブラックリスト該当確認完了フラグを「確認完了」に変更し（Ｓ６１０）、処理を終了する。
【００９５】
−−−処理フロー例７−−−
図１１は、本実施形態の出入国審査方法の実施手順例７を示すフロー図である。ここでは、出入国ＩＣカードを所持しない渡航者で、一次審査失格者として通知されていない渡航者（二次審査申請者）の二次審査について、主にシステム１０において実行される処理について説明する。
【００９６】
上記のような渡航者の二次審査は、二次審査窓口の二次審査端末１６で行われる。二次審査端末１６ではまず、二次審査申請者について、生体情報読み取り部１６ｂにて生体情報読み取りを実行する。生体情報の読み取りは、処理フロー例２にて示した、一次審査受付け端末１４において実行される生体情報読み取りと同様の処理手順で実行される。また、読み取り部１６ｃにて旅券情報の読み取りを実行する。
【００９７】
システム１０はまず、二次審査用情報受信部４４にて、二次審査受付け端末により読み取られた二次審査申請者の旅券情報および生体情報を受信する（Ｓ７００）。次に、システム１０では、二次本人確認部４６にて、旅券情報を利用して二次本人確認処理を実行する（Ｓ７０２）。問題あり、すなわち本人でないと判断された場合（Ｓ７０２：問題あり）は、申請不受理として、処理を終了する（Ｓ７０４）。申請不受理の場合、違反者として拘束することもありうる。また、申請不受理が何らかの審査過誤によるものでないとされ、最終的に確定した場合には、審査結果処理部５４により、その最終的な出入国申請不受理の情報を出入国管理データベース５２に格納処理するとともに、当該二次審査申請者の一次審査結果データベース３６に記録された一次審査結果および生体情報を削除処理する。ステップＳ７０２において、問題なし、すなわち本人であると判断された場合（Ｓ７０２：問題なし）は、ステップＳ７０６の処理を実行する。変形例として、ステップＳ７０２の前後に、旅券の真正性の確認を再度行うこととしてもよい。
【００９８】
次に、二次審査申請者の搭乗券のチェックを行う（Ｓ７０６）。ここで、搭乗券のチェックは、搭乗券による本人確認と、搭乗券による一次審査済みの確認とがあるのであるが、本実施形態では、搭乗券による本人確認は、二次審査端末１６の読み取り部にて読み取られた搭乗券の情報を、システム１０が受信し、旅券情報データベース２８に格納された旅券情報や一次審査結果データベース３６に格納された顔画像情報などと照合することにより行うこととする。本実施形態では、搭乗券による一次審査済みの確認は、搭乗券に旅券情報および顔画像情報が印されている事実をもって判断する。ここで、これらの搭乗券のチェックは、いずれも搭乗券の半券に印刷された旅券情報および顔画像情報を利用して、二次審査官が目視により行うことなどとしてもよい。搭乗券のチェックにおいて、問題あり、すなわち本人でない、あるいは一次審査未遂と判断された場合（Ｓ７０６：問題あり）は、申請不受理として、処理を終了する（Ｓ７０８）。申請不受理の場合の具体的な処理は、ステップＳ７０４と同様である。ステップＳ７０６において、問題なしと判断された場合（Ｓ７０６：問題なし）は、ステップＳ７１０の処理を実行する。
【００９９】
次に、システム１０では、一次審査有無確認部４８にて、二次審査端末１６からの処理要求に応じて、当該二次審査申請者についての一次審査の有無確認処理を一次審査結果データベース３６において実行し、その結果を二次審査端末１６に送信することにより、一次審査有無確認処理を実行する（Ｓ７１０）。ステップＳ７１０において、問題あり、すなわち一次審査未遂と判断された場合（Ｓ７１０：問題あり）は、一次審査受付け端末１４へと戻って一次審査を受けることを要求するなどの適宜なエラー処理を実行する（Ｓ７１２）。ステップＳ７１０において、問題なし、すなわち一次審査済みと判断された場合（Ｓ７１０：問題なし）は、ステップＳ７１４の処理を実行する。
【０１００】
次に、システム１０では、二次審査端末１６からの処理要求があった場合に、当該二次審査申請者についての一次審査結果を一次審査結果データベース３６から抽出し、二次審査端末１６に送信する（Ｓ７１４）。ステップＳ７１４が実行されるのは例えば、二次審査窓口の審査官が、当該二次審査申請者が一次審査失格者でないことを再度確認するために、二次審査端末１６から当該処理要求を送信する場合などである。ここまでの審査処理で問題がない場合には、当該二次審査申請者の申請受理が確定する。
【０１０１】
次に、システム１０では、二次審査端末１６の入出力装置からの処理要求などに応じて、審査結果処理部５４にて、最終的な出入国申請受理の情報を出入国管理データベース５２に格納処理するとともに、当該二次審査申請者の一次審査結果データベース３６に記録された一次審査結果および生体情報を削除処理する（Ｓ７１６）。また、二次審査完了の旨を審査画面などの入出力装置１６ａ等に表示し（ｓ７１７）、処理を終了する。
【０１０２】
−−−処理フロー例８−−−
図１２は、本実施形態の出入国審査方法の実施手順例８を示すフロー図である。ここでは、出入国ＩＣカードを所持する渡航者で、一次審査失格者として通知されていない渡航者（二次審査申請者）の二次審査について、主にシステム１０において実行される処理について説明する。
【０１０３】
上記のような渡航者の二次審査は、通常、無人二次審査ゲート１８で行われる。無人二次審査ゲート１８ではまず、二次審査申請者について、生体情報読み取り部１８ａにて生体情報読み取りを実行する。生体情報の読み取りは、処理フロー例２にて示した、一次審査受付け端末１４において実行される生体情報読み取りと同様の処理手順で実行される。また、読み取り部１８ｂにて出入国ＩＣカード情報の読み取りを実行する。
【０１０４】
システム１０はまず、二次審査用情報受信部４４にて、二次審査受付け端末により読み取られた二次審査申請者の出入国ＩＣカード情報および生体情報を受信する（Ｓ８００）。次に、システム１０では、二次本人確認部４６にて、出入国ＩＣカード情報を利用して二次本人確認処理を実行する（Ｓ８０２）。問題あり、すなわち本人でないと判断された場合（Ｓ８０２：問題あり）は、申請不受理として、処理を終了する（Ｓ８０４）。申請不受理の場合の具体的な処理は、ステップＳ７０４と同様である。ステップＳ８０２において、問題なし、すなわち本人であると判断された場合（Ｓ８０２：問題なし）は、ステップＳ８０６の処理を実行する。変形例として、ステップＳ８０２の前後に、出入国ＩＣカードの真正性の確認を再度行うこととしてもよい。また、別の変形例として、旅券情報を利用した二次本人確認処理や、旅券の真正性の確認を行うこととしてもよい。
【０１０５】
次に、出入国ＩＣカードに記録された一次審査実行有無フラグの確認を行う（Ｓ８０６）。この確認処理は、システム１０で行うこととしてもよいし、無人二次審査ゲート１８で行うこととしてもよい。問題あり、すなわち一次審査未遂と判断された場合（Ｓ８０６：問題あり）は、申請不受理として、処理を終了する（Ｓ８０８）。申請不受理の場合の具体的な処理は、ステップＳ７０４と同様である。ステップＳ８０６において、問題なしすなわち一次審査済みであると判断された場合（Ｓ８０６：問題なし）は、ステップＳ８１０の処理を実行する。
【０１０６】
次に、二次審査申請者の搭乗券のチェックを行う（Ｓ８１０）。ここで、搭乗券のチェックは、搭乗券による本人確認と、搭乗券による一次審査済みの確認とがあるのであるが、本実施形態では、搭乗券による本人確認は、無人二次審査ゲート１８の読み取り部にて読み取られた搭乗券に記録された旅券情報および顔画像情報を、システム１０が受信し、旅券情報データベース２８に格納された旅券情報や一次審査結果データベース３６に格納された顔画像情報などと照合することにより行うこととする。本実施形態では、搭乗券による一次審査済みの確認は、搭乗券に旅券情報および顔画像情報が印されている事実をもって判断する。ここで、搭乗券のチェックは、無人二次審査ゲート１８において実行されることとしてもよい。搭乗券のチェックにおいて、問題あり、すなわち本人でないあるいは一次審査未遂と判断された場合（Ｓ８１０：問題あり）は、申請不受理として、処理を終了する（Ｓ８１２）。申請不受理の場合の具体的な処理は、ステップＳ７０４と同様である。ステップＳ８１０において、問題なしと判断された場合（Ｓ８１０：問題なし）は、ステップＳ８１４の処理を実行する。
【０１０７】
次に、システム１０では、一次審査有無確認部４８にて、無人二次審査ゲート１８からの処理要求に応じて、当該二次審査申請者についての一次審査の有無確認処理を一次審査結果データベース３６において実行し、その結果を無人二次審査ゲート１８に送信することにより、一次審査有無確認処理を実行する（Ｓ８１４）。ステップＳ８１４において、問題あり、すなわち一次審査未遂と判断された場合（Ｓ８１４：問題あり）は、一次審査受付け端末１４へと戻って一次審査を受けることを要求するなどの適宜なエラー処理を実行する（Ｓ８１６）。申請不受理の場合の具体的な処理は、ステップＳ７０４と同様である。ステップＳ８１４において、問題なし、すなわち一次審査済みと判断された場合（Ｓ８１４：問題なし）は、ステップＳ８１８の処理を実行する。
【０１０８】
次に、システム１０では、無人二次審査ゲート１８からの処理要求があった場合に、当該二次審査申請者についての一次審査結果を一次審査結果データベース３６から抽出し、二次審査端末１６に送信する（Ｓ８１８）。ステップＳ８１８が実行されるのは例えば、無人二次審査ゲート１８に出向いた違反者拘束担当者が、当該二次審査申請者が一次審査失格者であるか否かを再度確認したいために、無人二次審査ゲート１８から当該処理要求を送信する場合などである。ここまでの審査処理において問題がない場合には、当該二次審査申請者の申請受理が確定し、システム１０は、無人ゲート開閉操作部５０にて、無人二次審査ゲート１８を開放する（Ｓ８２０）。
【０１０９】
次に、システム１０では、無人二次審査ゲート１８からの処理要求などに応じて、審査結果処理部５４にて、最終的な出入国申請受理の情報を出入国管理データベース５２に格納処理するとともに、当該二次審査申請者の一次審査結果データベース３６に記録された一次審査結果および生体情報を削除処理する（Ｓ８２２）。また、二次審査完了の旨を例えば無人二次審査ゲート１８ないしこれとセットになっているｋｉｏｓｋ端末３のディスプレイなど表示部５等に出力し（ｓ８２３）、処理を終了する。
【０１１０】
−−−処理フロー例９−−−
図１３は、本実施形態の出入国審査方法の実施手順例９を示すフロー図である。ここでは、一次審査失格者として通知された渡航者（二次審査申請者）に対し、主にシステム１０にて実行される処理について説明する。
【０１１１】
システム１０はまず、一次審査失格者については、一次審査失格者通知部４２にて、一次審査結果データベース３６に記録された顔画像情報および一次審査結果を一次審査失格者通知画面（図２参照）として二次審査端末１６に送信し、二次審査端末１６の表示部に表示する（Ｓ９００）。
【０１１２】
次に、拘束担当者による違反者の拘束が行われる（Ｓ９０２）。拘束に失敗した場合（Ｓ９０２：拘束失敗）には、当該渡航者についての処理をとりあえず終了する、あるいは審査結果処理部５４による審査結果処理を実行するなど、適宜なエラー処理を実行する（Ｓ９０４）。拘束に成功した場合（Ｓ９０２：拘束成功）には、違反者を別室に連れて行き、ステップＳ９０６以降の処理を実行する。
【０１１３】
別室端末２０ではまず、拘束された違反者について、生体情報読み取り部２０ａにて生体情報読み取りを実行する。生体情報の読み取りは、処理フロー例２にて示した、一次審査受付け端末１４において実行される生体情報読み取りと同様の処理手順で実行される。
【０１１４】
システム１０は、別室端末２０により読み取られた違反者の生体情報を受信する（Ｓ９０６）。次に、システム１０では、一次審査結果データベース３６に記録された、当該拘束された違反者と同一人物であるはずの一次審査失格者の生体情報を抽出し、受信した生体情報と照合することによって、違反者が、一次審査失格者本人であることを確認する処理を実行する（Ｓ９０８）。一致、すなわち一次審査失格者本人であると判断された場合（Ｓ９０８：一致）は、ステップＳ９１２以降の処理を実行する。
【０１１５】
ステップＳ９０８において、一致せず、すなわち一次審査失格者本人でないと判断された場合（Ｓ９０８：一致せず）は、適宜なエラー処理を実行する（Ｓ９１０）。具体的には、当該拘束された違反者（容疑者）が、出入国ＩＣカード所持者である場合には、処理フロー例７および８で述べた各種の審査処理、すなわち二次審査端末１６および無人二次審査ゲート１８から行われる二次審査処理と同様の処理を実行することとすればよい。当該拘束された違反者（容疑者）が、出入国ＩＣカード非所持者である場合には、処理フロー例７で述べた各種の審査処理、すなわち二次審査端末１６から行われる二次審査処理と同様の処理を実行することとすればよい。これらの場合、当該拘束された容疑者が、実際には違反者で無かった場合には、通常の二次審査端末１６や無人二次審査ゲート１８において行われる審査処理を、別室端末２０で代わりに行うことが可能である。
【０１１６】
ここで、仮に、二次審査端末１６に一次審査失格者通知画面が表示されたにも関わらず、違反者拘束担当者が他の仕事中であるなどの理由から二次審査窓口に到着できない間に、当該一次審査失格者が二次審査窓口に二次審査申請に来てしまった場合、二次審査端末１６では、ステップＳ９１０で説明した各種の適宜な審査処理などを実行することができるようにすれば、違反者拘束担当者が到着するまでの時間稼ぎとして利用することができて好適である。
【０１１７】
ステップＳ９０８において、一致、すなわち一次審査失格者本人であると判断された場合は、最終的な出入国申請不受理が確定したわけであるので、システム１０では、別室端末２０の入出力装置からの処理要求などに応じて、審査結果処理部５４にて、最終的な出入国申請受理の情報を出入国管理データベース５２に格納処理するとともに、当該二次審査申請者の一次審査結果データベース３６に記録された一次審査結果および生体情報を削除処理する（Ｓ９１２）。また、二次審査完了の旨を例えば二次審査端末１６の入出力装置１６ａ等に出力する（ｓ９１３）。
【０１１８】
次にシステム１０では、当該拘束された違反者の拘束場所情報を、拘束場所情報データベース６０に記録し（Ｓ９１４）、処理を終了する。
【０１１９】
−−−処理フロー例１０−−−
図１４は、本実施形態の出入国審査方法の実施手順例１０を示すフロー図である。ここでは、警察などからＦＡＸにて通知された最新ブラックリスト情報に基づいて実行される、主にシステム１０における、最新ブラックリスト情報反映処理について説明する。
【０１２０】
最新ブラックリスト情報反映処理の担当者などは、まず最新ブラックリスト情報がブラックリストの追加情報なのか削除情報なのかを判断する（Ｓ１０００）。次に、システム１０の入出力装置を介し、送信される処理要求などに応じ、最新ブラックリスト情報反映処理部５６は、削除の場合（Ｓ１０００：削除）、ブラックリストデータベース３２の該当する削除対象者の情報を削除することにより更新し（Ｓ１００２）、終了する。追加の場合（Ｓ１０００：追加）は、まず、一次審査を既に通過した渡航者の中に新規ブラックリスト登録者がいないかどうかを確認する（Ｓ１００４）。具体的には、当該新規ブラックリスト登録者の生体情報を、一次審査結果データベース３６に記録された一次審査申請者の生体情報と照合し、その該当者がいる場合（Ｓ１００４：該当あり）、当該該当者の一次審査結果データのうち、ブラックリスト該当有無フラグを「ブラックリスト該当」に書き換え処理する（Ｓ１００６）。該当者がいない場合（Ｓ１００４：該当なし）は、ブラックリストデータベース３２の該当する追加対象者の情報を追加することにより更新し（Ｓ１００８）、終了する。  
−−−処理フロー例１１−−−
図１５は、本実施形態の出入国審査方法の実施手順例１１を示すフロー図である。ここでは、二次審査未実施者削除処理について、主にシステム１０において実行される処理について説明する。
【０１２１】
システム１０では、二次審査未実施者削除処理部５８にて、例えば毎日の出入国審査業務が完全に終了した時点で、システム１０の入出力装置から入力される削除要求に応じて、一次審査申請者のうち、二次審査未実施の者について、その一次審査結果データベース３６に記録された一次審査結果および生体情報を削除処理する（Ｓ１１００）。
【０１２２】
本実施形態によれば、審査の厳格性を高めると同時に、渡航者が審査窓口に長時間行列する必要がなく、審査をスムーズに受けることが可能となる。
【０１２３】
以上、本発明の実施の形態について、その実施の形態に基づき具体的に説明したが、これに限定されるものではなく、その要旨を逸脱しない範囲で種々変更可能である。
【図面の簡単な説明】
【０１２４】
【図１】本実施形態における出入国審査システムを含むブロック図である。
【図２】本実施形態における一次審査失格者通知画面の一例を示す図である。
【図３】本実施形態における搭乗券の模式図である。
【図４】本実施形態における（ａ）旅券情報データベース、（ｂ）ブラックリストデータベース、（ｃ）一次審査結果データベース、（ｄ）ＩＣカード情報データベース、（ｅ）出入国管理データベース、（ｆ）拘束場所情報データベースの各データ構造例を示す図である。
【図５】本実施形態における出入国審査方法の実施手順例１を示すフロー図である。
【図６】本実施形態における出入国審査方法の実施手順例２を示すフロー図である。
【図７】本実施形態における出入国審査方法の実施手順例３を示すフロー図である。
【図８】本実施形態における出入国審査方法の実施手順例４を示すフロー図である。
【図９】本実施形態における出入国審査方法の実施手順例５を示すフロー図である。
【図１０】本実施形態における出入国審査方法の実施手順例６を示すフロー図である。
【図１１】本実施形態における出入国審査方法の実施手順例７を示すフロー図である。
【図１２】本実施形態における出入国審査方法の実施手順例８を示すフロー図である。
【図１３】本実施形態における出入国審査方法の実施手順例９を示すフロー図である。
【図１４】本実施形態における出入国審査方法の実施手順例１０を示すフロー図である。
【図１５】本実施形態における出入国審査方法の実施手順例１１を示すフロー図である。
【符号の説明】
【０１２５】
１０  出入国審査システム（システム）
１４  一次審査受付け端末
１６  二次審査端末
１８  無人二次審査ゲート
２２  一次審査用情報受信部
２４  一次審査受付け終了通知部
２６  一次本人確認部
２８  旅券情報データベース
３０  ＩＣカード情報データベース
３２  ブラックリストデータベース
３４  ブラックリスト該当確認部
３６  一次審査結果データベース
３８  一次審査結果記録部
４０  真正性確認処理部
４２  一次審査失格者通知部
４４  二次審査用情報受信部
４６  二次本人確認部
４８  一次審査有無確認部
５０  無人ゲート開閉操作部
５２  出入国管理データベース
５４  審査結果処理部
５６  最新ブラックリスト情報反映処理部
５８  二次審査未実施者削除処理部
【図１】
0004409509.tif 000002
【図２】
0004409509.tif 000003
【図３】
0004409509.tif 000004
【図４】
0004409509.tif 000005
【図５】
0004409509.tif 000006
【図６】
0004409509.tif 000007
【図７】
0004409509.tif 000008
【図８】
0004409509.tif 000009
【図９】
0004409509.tif 000010
【図１０】
0004409509.tif 000011
【図１１】
0004409509.tif 000012
【図１２】
0004409509.tif 000013
【図１３】
0004409509.tif 000014
【図１４】
0004409509.tif 000015
【図１５】
0004409509.tif 000016